(57)【要約】【課題】従来の脱臭原理では実用的な効果的な脱臭は不可能であり従来の脱臭原理とは全く異なった原理による安全で安価な実用性の高い脱臭方法を提案する事が課題である。【解決手段】臭気や刺激臭を含む空気をゼロ磁場による磁石列により壁面が構成されたトンネル内を移動させる事により臭気や刺激臭を含む空気の分子が切断する磁束の変化率を無限大に近い極限の変化率とし更に極限の高いレベルの磁気による超誘導現象を発生させる事により原子が高エネルギー化された臭気や刺激臭を含む空気とする事により脱臭する。【選択図】図２
2011036607.tif 000002
【特許請求の範囲】
【請求項１】
寸法形状と磁力が等しい相隣る磁石の磁極がそれぞれ異極となる様に構成された複数の磁石による接触面を一列状に並べて構成された磁石列による合成磁界中に臭気や刺激臭を含む空気を移動させ該磁石による接触面により達成し得る無限大に近い極限の磁束の変化率による磁気による誘導現象により該臭気や刺激臭を含む空気に極限の高いレベルの磁気による電子エネルギーを誘導し発生させる事により該臭気や刺激臭を分解し脱臭する事よりなる磁気による臭気又は刺激臭の脱臭方法。
【発明の詳細な説明】
【技術分野】
【０００１】  本発明による磁気による臭気又は刺激臭の脱臭方法は物質の原子の高エネルギー化技術に関するものであり特に使用する空気や臭気及び刺激臭の活性化による脱臭技術分野に関するものである。
【背景技術】
【０００２】  本発明による臭気又は刺激臭の脱臭方法では磁気による誘導現象が空気や臭気及び刺激臭に与える作用や影響について説明する。【０００３】  さて磁気による誘導現象とはエネルギーの種類や発生場所を変えて変換する事が出来る最も一般的に利用されているエネルギーの変換現象である。【０００４】  本発明において利用する極限の高さのレベルの磁気による誘導現象とは永久磁石又は電磁石によるＮ極とＳ極との磁石により磁力が等しい異極同士の接合面上で構成される合成磁界中に空気や臭気及び刺激臭を移動させ磁束を切断する事により発生する。【０００５】  この場合．相隣る異極同士の接合面上で合成磁界を構成する磁石は磁力が等しく且つ磁力の方向が逆向きとするため接合面上の磁力は打ち消し合いゼロとなり接合面上を通過する空気や臭気及び刺激臭が切断する磁束の変化率は最も大きく無限大に近い極限の値となる。【０００６】  さて通常の磁界中に非磁性体よりなる空気や臭気及び刺激臭を移動させる事により空気や臭気及び刺激臭の分子が切断する磁束の変化率は無限大とは程遠く非常に低い変化率となるため空気や臭気及び刺激臭の原子に誘導される磁気による電子エネルギーのレベルは非常に低く実用性は殆んどない。【０００７】  一般的に誘導電動機や発電機等において利用されている永久磁石及び電磁石の磁気エネルギーは非常に大きい。【０００８】  アルミの金属板が切断する磁束の変化率による電磁誘導現象はアラゴの円盤として一般的に良く知られた例である。【０００９】  すなわち磁界中に非磁性体であるアルミの金属板を移動させる事により切断した磁束の変化率に相当する誘導電流がアルミの金属板に流れる。【００１０】  このアラゴの円盤による電磁誘導現象は誘導電動機の駆動原理として広く一般に利用されている。【００１１】  発電機も同様に磁界中に非磁性体の銅線を移動させ事により銅線が切断する磁束の変化率によって銅線には変化率に相当する誘導電流を発生させるものであり磁気による電磁誘導現象を利用したものである。【００１２】  また電磁石により発生する磁界中に非磁性体であるアルミや銅等の金属板を設置し交流電流による電流の変化によりアルミや銅等の金属板が切断する磁束を変化させる事により電磁誘導現象を発生させアルミや銅等の金属板に渦電流を流しジュール熱を発生させる事が可能である。【００１３】  上記の電磁誘導現象は電子レンジの発熱の原理として最近のＩＨ電磁調理に使用されている。【００１４】  非磁性体である空気及び臭気の分子に対する永久磁石又は電磁石によるゼロ磁場の発生と作用について説明する。【００１５】  磁力が等しい磁石の異極同士の主磁束面を相隣る様に並べて構成した接合面上における合成磁力はゼロとなる。【００１６】  また磁力が等しい磁石の異極同士の主磁束面を相隣る様に並べて構成した接合面により構成される合成磁界中を空気や臭気及び刺激臭が移動する場合に空気や臭気及び刺激臭の分子が切断する磁束の変化率は事実上．無限大に近い値となる。【００１７】  上記の様に磁力が等しい磁石の異極同士の主磁束面を相隣る様に並べて構成する接合面上では磁力の方向が逆向きの磁力が合成される事になるため磁力のベクトル量は相殺されゼロとなるが���カラー量で表される磁気エネルギーは前後の周辺部の２倍となる特殊な磁場となり．これを仮にゼロ磁場と仮称する。【００１８】  誘導現象に関するファラデー．ノイマンの法則について説明する。【００１９】  磁気による誘導現象に関するファラデー．ノイマンの法則によれば非磁性体である銅線が磁束を切断する場合に単位時間に切断する磁束の変化率の大きさに比例した誘導起電力が銅線に発生する。【００２０】  一般式で表す。
ｅ＝ｄφ／ｄｔ
但しｅ：発生する誘導起電力  φ：切断する磁束  ｔ：時間【００２１】  特に本発明において使用する液体燃料は磁束を切断する銅線ではなく非磁性体の空気や臭気及び刺激臭である場合について説明する。【００２２】  空気や臭気及び刺激臭においても非磁性体である銅線の場合に発生した誘導起電力に相当する磁気量子数で表される磁気による電子エネルギーが空気や臭気及び刺激臭の原子に誘導され従来の電子エネルギーに合算され増加し空気や臭気及び刺激臭の原子は高エネルギー化された状態になると考えられる。【００２３】  また量子論における電子エネルギーの定義によれば．物質の分子が切断する磁束の変化率により物質の原子に誘導される電子エネルギーは磁気量子数（Ｍａｇｎｅｔｉｃ  ｑｕａｎｔｕｍ  ｎｕｍｂｅｒ）で表される磁気による電子エネルギーであり特に最外殻電子の移動方向及び軌道面の傾きに関する値で表される電子の運動エネルギーである。【００２４】  従って磁場により空気や臭気及び刺激臭の原子に誘導される磁気による電子エネルギーは一般的な主量子数及び副量子数で表される従来の熱や圧力及び運動に関する電子エネルギーとは異なり最外殻電子の運動の仕方が全く異なる。【００２５】  すなわち通常の熱や圧力及び運動に関する電子エネルギーは空気や臭気及び刺激臭の原子の最外殻電子に発生する電子エネルギーによるものであり主量子数及び副量子数で表される。【００２６】  本発明においては空気や臭気及び刺激臭の原子は従来の熱や圧力及び運動に関する電子エネルギーに新たにゼロ磁場により誘導された磁気による電子エネルギーが加えられ２種類の異なった電子ネルギーを共有した最外殻電子を有する原子となり高エネルギー化された原子の状態となった空気や臭気及び刺激臭に関するものである。【００２７】  量子論におけるパウリの禁則によれば一般に原子の最外殻電子は主量子数及び副量子数に加え磁気量子数で表される複数種類の異なった量子数で表される電子エネルギーを同時に共有する事を否定していない事からも明らかである。【００２８】  従がって本発明において使用するゼロ磁場により空気や臭気及び刺激臭の原子に誘導された極限の高いレベルの磁気による電子エネルギーが潜在的なポテンシャルエネルギーとして空気や臭気及び刺激臭の原子の最外殻電子に従来の熱による電子エネルギーと共に付加され電子は高エネルギー化される。【００２９】  上記の様に空気や臭気及び刺激臭の原子が高エネルギー化された状態は温度や圧力変化に対して何ら影響を受ず減衰したり消滅したりする事はない。【００３０】  上記は核融合を目的としたトカマク型の試験装置において通常では発生しない様なプラズマによる超高温を閉じ込めるために磁気が利用されている事からも明らかである。【００３１】  さて極限の高いレベルの磁気による誘導現象と言う自然現象を発生させる事が可能となる最も無限大に近い極限の磁束の変化率を容易に実現する事が出来るゼロ磁場により始めて従来では考えられない程の極限の高いレベルの磁気による電子エネルギーを空気や臭気及び刺激臭の原子に誘導し高エネルギー化する事が可能となる。【００３２】  このゼロ磁場により空気や臭気及び刺激臭の分子に発生する極限の高いレベルの磁気に��る誘導現象を特に磁気による超誘導現象と仮称する。【００３３】  このゼロ磁場により空気や臭気及び刺激臭の原子には極限の高いレベルの磁気による超誘導現象によって極限の高いレベルの磁気による電子エネルギーが誘導され潜在的なポテンシャルエネルギーが増大した原子により構成された空気や臭気及び刺激臭となる。【００３４】  なおゼロ磁場によって空気や臭気及び刺激臭の原子に誘導された極限の高いレベルの磁気による電子エネルギーと空気や臭気及び刺激臭の熱や圧力及び運動に関する電子エネルギーとの違いは電子の運動の仕方が異なるだけであり相互に干渉する事はなく共に電子の特有の運動による電子エネルギーである事には代わりはない。【００３５】  またゼロ磁場により活性化され原子が高エネルギー化される事によって始めて強力な磁気による運動エネルギーが付与されるため空気や臭気及び刺激臭の分子には従来の常識では考えられない温度上昇によらない大幅な粘性や表面張力の低下現象が現れる。【００３６】  同時に空気や臭気及び刺激臭の温度上昇によらない大幅な粘性や表面張力の低下現象に発生により従来の空気や臭気及び刺激臭が有する粘性のため従来では浸透し得なかった小孔や隙間の微小空間に浸透する常識を超えた強力な浸透作用や空気中に浮遊する微粒子の自重による沈下及び微粒子の分子間引力による凝集による沈下等による清澄作用等が発生する。【００３７】  空気や臭気及び刺激臭の分子には従来では考えられない程の常識を超えた強力な浸透作用や清澄作用等の数々の現象が本発明による脱臭作用に加わり信じられない程の劇的で新しい効果を生む原因となる。【００３８】  さて本発明による脱臭作用とはゼロ磁場により活性化され原子が高エネルギー化され強力な磁気による運動エネルギーを有する空気や臭気及び刺激臭の原子により分子結合が切断され分子構造が崩壊し自壊する事により発生する脱臭現象であり従来の脱臭による脱臭のメカニズムとは根本的に異なった新たな脱臭メカニズムによる物理的な現象である。【００３９】  さてゼロ磁場を構成するためには永久磁石の磁力の強弱はそれほど決定的な要素ではなく比較的磁力の小さい永久磁石によりゼロ磁場を構成する事も可能である。【００４０】  ゼロ磁場を構成する相隣る異極同士による接合面の空隙寸法について説明する。【００４１】  さて空気や臭気及び刺激臭の分子の大きさと接合面の空隙寸法と空気や臭気及び刺激臭の分子がゼロ磁場を通過する移動速度との相互関係から空気や臭気及び刺激臭の分子が切断する磁束の変化率は完全に無限大とはならず通常では発生しないエネルギーの誘導現象を発生し得る有限の変化率となる。【００４２】  磁石の表面のアラサはネオジ磁石を利用する場合では磁石の表面処理によるニッケルメッキ層の厚み２〜５ミクロン程度に燒結加工によるネオジ磁石の表面アラサの２０ミクロン程度を加えた０．０２５ミリ程度となりゼロ磁場を構成する接合面の空隙の寸法は２倍の０．０５ミリ程度になるものと推定される。【００４３】  一方．空気や臭気及び刺激臭の分子の大きさは臭化水素の場合で．ほぼ３／１０８ミリ程度の大きさである。【００４４】  そのためゼロ磁場による合成磁界中を移動する空気や臭気及び刺激臭の流速を適��に選定する事により上記のファラデー．ノイマンの公式における磁束の変化率すなわちｄφ／ｄｔも無限大ではなく一定の有効な数値となり極限の高いレベルの磁気による超誘導現象を極限の短い時間だけ発生させる事が可能となる。【００４５】  従がってゼロ磁場による合成磁界中に磁気による超誘導現象を発生し得る限界の速度で空気や臭気及び刺激臭を移動させる事によって空気や臭気及び刺激臭の分子が切断する磁束の変化率を無限大に近い極限の有効な数値とする事が出来る。【００４６】  そのためゼロ磁場により活性化された空気や臭気及び刺激臭の原子に極限の高いレベルの磁気による電子エネルギーが誘導され原子が高エネルギー化された空気や臭気及び刺激臭の分子には従来では有り得ない程の強力な磁気による運動エネルギーが発生する。【００４７】  ゼロ磁場による合成磁界中を移動する空気や臭気及び刺激臭の流速による影響について説明する。【００４８】  テスト結果より本発明に使用するゼロ磁場により臭気や刺激臭を含む空気に磁気による超誘導現象を発生させる事が可能となる流速は０．５メートル／秒程度の限定された流速で磁束を切断した場合に限定される。【００４９】  また臭気や刺激臭を含む空気の流速が小さ過ぎる場合には空気や臭気及び刺激臭の分子が磁束を切断する磁束の変化率は低くなり過ぎて特に極限の高いレベルの磁気による超誘導現象は発生しなくなる。【００５０】  逆に臭気や刺激臭を含む空気の移動速度が大きくなり過ぎ磁束の変化率が無限大に近ずき過ぎて自然現象である極限の高いレベルの磁気による超誘導現象が発生し得なくなる限界を超える速度となる事が問題であり．この場合では誘導現象は全く発生しなくなる。【００５１】  ゼロ磁場により空気や臭気及び刺激臭を活性化し原子が高エネルギー化された場合に得られる効果を記述する。【００５２】  ゼロ磁場により活性化され原子が高エネルギー化された空気や臭気及び刺激臭の分子を構成する炭素（Ｃ）水素（Ｈ）窒素（Ｎ）酸素（Ｏ）等の各原子はぞれぞれの原子の高エネルギー化により臭気や刺激臭の分子の分子結合力が切断され各分子を構成する原子はバラバラとなり臭気や刺激臭の分子は完全に自壊し破壊され臭気や刺激臭はなくなる。【００５３】  またバラバラとなった原子はそれぞれ炭素（Ｃ）水素（Ｈ２）窒素（Ｎ２）酸素（Ｏ２）等の分子となり空気の構成分子となり空気中に戻る。【００５４】  またゼロ磁場により臭気や刺激臭の分子と共に活性化され高エネルギー化された空気を構成する各分子の分子結合力は強力であり切断され自壊する事はない。【００５５】  従って本発明によるゼロ磁場により原子が高エネルギー化された空気を構成する各分子の原子による非常に強力な運動エネルギーにより空気中に残存し混在する臭気や刺激臭の分子に作用し分子構造を破壊する事が出来る。【００５６】  本発明によるゼロ磁場により活性化され高エネルギー化された空気の強力な浸透作用や清澄作用により脱臭後においては従来の空気では．その粘性のため内部に入り込むめない微細な小孔や空隙に浸透し脱臭及び殺菌を行なうと共に空気中に浮遊するあらゆる微細な微小粒子を地表に沈下させ空気を清澄にする事が出来る。【００５７】  すなわちゼロ磁場により活���化された空気の分子の粘性や表面張力は大幅に低下するため強力な浸透作用が発生し従来の空気の粘性では浸透し除去する事が出来なかった臭気や刺激臭を発生する原因物質の表面の小穴や皺等の微小な間隙に浸透し残存する臭気や刺激臭分子を破壊する事が出来る。【００５８】  同時に空気の分子運動による浮揚力と自重がバランスを取り空気中に浮遊する微粒子は空気の大幅な粘性や表面張力の低下によりバランスが崩れ微粒子は自重により沈下すると共に微粒子同士の分子間引力による凝集が発生し更に自重が大きくなる事により沈下する事により清澄作用等が発生する。【００５９】  同時に沈下した微小粒子や微小粒子の集塊は地表面の微細な凹凸や亀裂や空隙によるフィルター効果により地表面に吸着された状態となるため再度．空気中に浮遊する事はない更に空気の活性力がなくなり藻との空気に戻り粘性が強くなった場合には微小粒子や微小粒子の集塊は粘性の強い空気中を上昇し再度．浮遊する事は出来ない。【００６０】  上記の本発明によるゼロ磁場による微小粒子に沈下による清澄作用による脱臭効果は空気中に浮遊する微小粒子は単なる固体や液体の塵埃のみならずダニやノミの糞や人や動物から発生する微細なフケや角質化した皮膚．さらにはタバコや線香の煙の粒子や花粉．更にバクテリヤやウイルス等．物理的な微小粒子であれば種類や化学的組成の相違とは無関係に全ての物質が本発明によるゼロ磁場による清澄効果の対象となる。
【発明の開示】
【発明が解決しようとする課題】
【００６１】  従来から脱臭装置に利用する原理としてはオゾンやマイナスイオンや紫外線や高温の熱線及びある種の放射線を利用したものがある。【００６２】  オゾンや紫外線などは人間を始め動植物の細胞に対して悪影響を与えるためオゾン発生器等の利用は国際的にも制限され同時に利用上に大きなリスクがある。【００６３】  更にマイナスイオンを発生するプラズマ発生器についてもプラズマ放電時にマイナスイオンと同時にオゾンが発生するため利用は制限され同時に利用上に大きなリスクがある。【００６４】  酸化チタンによる皮膜及び特殊な塗料による皮膜等による脱臭は広い面積が必要であり工事費を伴なうと共に維持費を要するなどコスト高が問題である。【００６５】  更に銀イオンや銅イオンやある種の薬液を含む濾過装置に接触させるもの及び水や水溶液に溶解させ流し去る方法等は維持費に問題があり実用性に欠け脱臭効果も低い。【００６６】  また化学的な原理による脱臭は長期間に渡る使用は人や動植物に健康被害を及ぼす恐れがあり特に熱による温度や圧力などによる環境の変化に影響され易く且つ大気や水の環境を汚染するため基本的には短期間にやむを得ない場合にのみ限定的に使用されるべき方法である。【００６７】  従って従来の脱臭原理では実用的な効果的な脱臭は不可能であり従来の脱臭原理とは全く異なった原理による安全で安価な実用性の高い脱臭装置を提案する事が課題である。
【課題を解決するための手段】
【００６８】  さて従来から．あらゆる物質や現象は地球磁場の影響のもとで発生し成り立たっている。【００６９】  また永久磁石はあらゆる方面に渡り利用され古くから身近に存在し世界中で．その性質や機能は良く知られ馴染まれ多くの製品に利用されて来たものである。【００７０】  しかしながら世間の常識として良く知られた永久磁石ではあるが永久磁石の特殊な組み合わせによるゼロ磁場を構成する事により極限の高いレベルの磁気による超誘導現象と言うべき自然現象がゼロ磁場上を移動する一定の速度で発生する事は今日まで全く知られていなかった。【００７１】  ゼロ磁場により活性化され原子が高エネルギー化された臭気や刺激臭を含む空気等の脱臭が可能となる経緯について説明する。【００７２】  本発明においては磁力の等しい永久磁石の異極同士の主磁束面を相隣る様に並べて構成し極性が分れる境目となるゼロ磁場上で構成される合成磁界を利用する。【００７３】  本発明による磁気による脱臭方法おいてはゼロ磁場による合成磁界中に臭気や刺激臭を含む空気を適当な速度で移動させた場合．空気や臭気及び刺激臭の分子が切断する磁束の変化率によって磁気による超誘導現象が発生し得る最も無限大に近い極限の値とする事が出来る移動速度とする事がゼロ磁場を構成するための基本的条件である。【００７４】  空気や臭気及び刺激臭の分子に極限の高いレベルの磁気による超誘導現象を発生させる事により始めて原子が高エネルギー化された極限の高いレベルの電子エネルギーを有する臭気や刺激臭を含む空気とする事が可能となる。【００７５】  空気や臭気及び刺激臭の分子に磁気による超誘導現象を発生させる条件としては臭気や刺激臭を含む空気の移動速度とゼロ磁場を構成し相隣る異極同士の接合面の空隙寸法との相互関係から空気や臭気の分子が切断する磁束の変化率が自然現象として磁気による超誘導現象を発生し得る極限の大きな磁束の変化率となる様に臭気や刺激臭を含む空気の移動速度を設定する事が必要である。【００７６】  空気や臭気及び刺激臭の分子が切断する磁束の変化率は空気や臭気及び刺激臭の分子の寸法サイズと臭気や刺激臭を含む空気の移動速度との関係に加えゼロ磁場の空隙寸法によって定まる。【００７７】  さて臭気や刺激臭を含む空気の活性化処理量の大きな脱臭装置を構成する場合には臭気や刺激臭を含む空気を複数のゼロ磁場よりなる磁石列により構成された並列分流装置により並列に構成された複数のトンネル内に全て等速となる様に分流する。【００７８】  また内壁がゼロ磁場による１対の磁石列が対向する様に構成されたトンネル内部に合成された磁界中を移動する臭気や刺激臭を含む空気に有効に作用し得る１対の対向する磁石列の表面間の距離はネオジ磁石の場合で最大１４ミリ程度である。【００７９】  従って臭気や刺激臭を含む空気の処理量が多い場合には臭気や刺激臭を含む空気の流速を大きくせざるを得ず空気や臭気及び刺激臭の原子を高エネルギー化する事が出来ない。【００８０】  そのため並列分流装置により．それぞれ並列に構成した複数のトンネル内に臭気や刺激臭を含む空気を並列に分流し移動速度を低下させる事により．それぞれのトンネル内を移動する空気や臭気及び刺激臭の原子を高エネルギー���する事が可能となる。【００８１】  更に複数のトンネル内を並列で移動する臭気や刺激臭を含む空気の移動速度を全て等しくするのみならずトンネルの壁面を構成するゼロ磁場よりなる磁石列による活性化機能も全て等しくする事が必要である。【００８２】  この場合．臭気や刺激臭を含む空気を適当な移動速度とする事により一定の寸法間隔でゼロ磁場を並べて構成した磁石列による合成磁界を切断する磁束の変化率が無限大に近い極限の値とし従来では有り得ない磁気による超誘導現象を発生させ．その結果．極限の高いレベルの磁気による電子エネルギーを空気や臭気及び刺激臭の原子に誘導する状態が一定の周期を伴なって発生する。【００８３】  そのため本発明に使用するゼロ磁場を一定の間隔で並べてなる磁石列により壁面が構成されたトンネルを移動する事により活性化され原子が高エネルギー化された空気や臭気及び刺激臭の分子は一定の周期を有する強力な磁気による運動エネルギーを有する臭気や刺激臭を含む空気となる。【００８４】  複数のゼロ磁場により構成された磁石列により臭気や刺激臭の分子を含む空気の分子に発生する磁気による超誘導現象の周期と空気や臭気及び刺激臭の分子運動に係る特有の周期とが合致した場合にはエネルギー授受の共振現象により空気や臭気及び刺激臭の原子に誘導される磁気による電子エネルギーは急激に増大し極限の高いレベルに達する。【００８５】  本発明においては複数のゼロ磁場を順次．一列状に並べてなる磁石列により構成された磁気による活性化装置を使用する。【００８６】  またゼロ磁場により臭気や刺激臭の分子を含む空気の大きな処理量が必要となる場合には原子が高エネルギー化される事が可能となる移動速度にまで低下させるために一旦．並列分流装置に並列に設置された複数のトンネルにより分流する。【００８７】  すなわち並列分流装置におけるゼロ磁場を一定の寸法間隔で１列に並べた磁石列が設置された壁面により構成された複数のトンネル内に並列に分流する。【００８８】  複数のトンネル内の壁面に設置されたゼロ磁場による磁石列により構成された合成磁界中に臭気や刺激臭の分子を含む空気を移動させる事により空気や臭気及び刺激臭の分子が切断する無限大に近い極限に達する磁束の変化率がそれぞれ一定の周期を伴ない発生する。【００８９】  ゼロ磁場により活性化された空気や臭気及び刺激臭の分子に一定の周期を伴なう無限大に近い極限の磁束の変化率を与える事により同じ周期を伴なう極限の高いレベルの磁気による超誘導現象を発生させると共に同じ周期を伴なう極限の高いレベルの磁気による電子エネルギーを空気や臭気及び刺激臭の原子に誘導する事が出来る。【００９０】  空気や臭気及び刺激臭の原子に．それぞれ一定の周期を伴なう極限の高いレベルの磁気による電子エネルギーを誘導する事によって空気や臭気及び刺激臭の分子には．それぞれ同じ周期を伴なう強力な磁気による運動エネルギーが発生する。【００９１】  このゼロ磁場により空気や臭気及び刺激臭の分子に発生した強力な磁気による運動エネルギーの周期が空気や臭気及び刺激臭の特有の分子運動による周期とが．それぞれ合致した場合には運動エネルギーの授受に関する共振現象により．それぞれ極限に近い磁気による電子エネルギーが誘導され高エネルギー化された空気や臭気及び刺激臭となる。【００９２】  以上より臭気や刺激臭の分子を含む空気の処理量が大きい場合には予め並列分流装置により並列に設置された複数本のトンネルに並列に分流する事によってゼロ磁場により活性化され原子が高エネルギー化された臭気や刺激臭の分子自身の破壊及び原子が高エネルギー化された空気により空気中に残存する臭気及び刺激臭の分子の破壊が行なわれる。【００９３】  従ってゼロ磁場により活性化された空気の分子の粘性や表面張力は大幅に低下するため強力な浸透作用が発生し従来の空気の粘性では浸透し除去する事が出来なかった臭気や刺激臭を発生する原因物質の表面の小穴や皺等の微小な間隙に浸透し残存する臭気や刺激臭分子を破壊する事が出来る。【００９４】  更に空気の分子運動による浮揚力と自重がバランスを取り空気中に浮遊する微粒子は空気の大幅な粘性や表面張力の低下によりバランスが崩れ微粒子は自重により沈下すると共に微粒子同士の分子間引力による凝集が発生し更に自重が大きくなる事により沈下する事により清澄作用等が発生する。【００９５】  同時に沈下した微小粒子や微小粒子の集塊は地表面の微細な凹凸や亀裂や空隙によるフィルター効果により地表面に吸着された状態となるため再度．空気中に浮遊する事はない更に空気の活性力がなくなり藻との空気に戻り粘性が強くなった場合には微小粒子や微小粒子の集塊は粘性の強い空気中を上昇し再度．浮遊する事は出来ない。【００９６】  従って空気や臭気及び刺激臭の原子の高エネルギー化による脱臭と共に空気や臭気及び刺激臭の分子に従来では有り得ない程の強力な磁気による運動エネルギーが付与される事により従来では到底．考えられない程の温度上昇によらない粘性や表面張力の大幅な低下により臭気や刺激臭の分子を含む空気の分子には強力な浸透作用や清澄作用が発生する。
【発明の効果】
【００９７】  さて従来から磁気により脱臭を行なうと言う発想は全くなく磁気による有効な脱臭効果が期待出来る脱臭装置は今日まで開発される事はなく磁気による脱臭器はどこにも存在していない状況である。【００９８】  本発明は完全に物理的な方法であり薬品の長期間に渡る摂取による人や動植物への健康被害や外気への放出による水や大気の環境汚染は全くなく環境に最も負荷をかけない効果的な脱臭方法である。【００９９】  本発明によるゼロ磁場により空気や臭気及び刺激臭の原子を高エネルギー化する事によって臭気や刺激臭の分子結合力は弱いため切断され分子構造は崩壊し脱臭される。【０１００】  しかしながらゼロ磁場により臭気や刺激臭の分子と共に活性化され高エネルギー化された空気を構成する各分子の分子結合力は強力であり切断され自壊する事はない。【０１０１】  従って本発明によるゼロ磁場により原子が高エネルギー化された空気を構成する各分子の原子による非常に強力な運動エネルギーにより空気中に残存し混在する臭気や刺激臭の分子に作用し分子構造を破壊する事が出来る。【０１０２】  原子が高エネルギー化された空気や臭気及び刺激臭の分子により従来では有り得ない程の強力な磁気による運動エネルギーが発生する。【０１０３】  従来では臭気や刺激臭の分子を含む空気の粘性や表面張力が低下する現象は臭気や刺激臭の分子を含む空気の温度上昇時においてのみ発生する現象となっている。【０１０４】  更にゼロ磁場により活性化された空気の分子の粘性や表面張力は大幅に低下するため強力な浸透作用が発生し従来の空気の粘性では浸透し除去する事が出来なかった臭気や刺激臭を発生する原因物質の表面の小穴や皺等の微小な間隙に浸透し残存する臭気や刺激臭分子を破壊する事が出来る。【０１０５】  そのため脱臭後においては臭気の発生源からの臭気は全くなくなると共に空気も完全に清澄となり従来の脱臭の常識では考えられない完全な脱臭となる。【０１０６】  更に空気の分子運動による浮揚力と自重がバランスを取り空気中に浮遊する微粒子は空気の大幅な粘性や表面張力の低下によりバランスが崩れ微粒子は自重により沈下すると共に微粒子同士の分子間引力による凝集が発生し更に自重が大きくなる事により沈下する事により清澄作用等が発生する。【０１０７】  同時に沈下した微小粒子や微小粒子の集塊は地表面の微細な凹凸や亀裂や空隙によるフィルター効果により地表面に吸着された状態となるため再度．空気中に浮遊する事はない更に空気の活性力がなくなり藻との空気に戻り粘性が強くなった場合には微小粒子や微小粒子の集塊は粘性の強い空気中を上昇し再度．浮遊する事は出来ない。【０１０８】  上記の本発明によるゼロ磁場による微小粒子に沈下による清澄作用による脱臭効果は空気中に浮遊する微小粒子は単なる固体や液体の塵埃のみならずダニやノミの糞や人や動物から発生する微細なフケや角質化した皮膚．さらにはタバコや線香の煙の粒子や花粉．更にバクテリヤやウィルス等．物理的な微小粒子であれば種類や化学的組成の相違とは無関係に全ての物質が本発明によるゼロ磁場による清澄効果の対象となる。【０１０９】  本発明においては複数のゼロ磁場を一列状に並べた１対の磁石列で内壁が構成されたトン���ル内の合成磁界中を臭気や刺激臭の分子を含む空気を移動させ各ゼロ磁場間のピッチ寸法と移動速度との関係により定まる磁気による超誘導現象の周期が空気や臭気及び刺激臭による特有の分子運動の周期と合致する様にしたシステムである。【０１１０】  いずれにせよ本発明はゼロ磁場により空気や臭気及び刺激臭の原子が高エネルギー化される事により特に臭気や刺激臭の分子が自壊する事による脱臭であり従来では考えられない脱臭原理による脱臭である。【０１１１】  従って従来の脱臭に関する常識では考えられない様な多くの有益な現象による種々の効果が同時に発生する。【０１１２】  本発明による諸効果とは磁気による影響下で発生する諸現象であり地磁気の影響下で進化し生存してきた人間及び動植物にとっては本質的には受け入れ可能であり．むしろ有益である場合が多い。【０１１３】  薬品を使用せず化学物質によらない完全に物理的な方法であり人や動植物には悪影響を及ぼす事はなく却って生育を助長する効果がある。【０１１４】  また本発明のゼロ磁場により自壊した臭気や刺激臭の分子は全て空気の構成分子となり空気中に戻るため環境に負荷をかけず環境汚染の恐れは全くなく経済的にも半永久的に使用可能であり非常に有益な数々の効果が同時に発生する。【０１１５】  ゼロ磁場により活性化され原子が高エネルギー化された空気や臭気及び刺激臭の分子を構成する炭素原子や水素原子や窒素原子及び酸素原子等には共に同種の極限の高いレベルの磁気による電子エネルギーが誘導されるため同種の電子エネルギーのクーロン力により発生した強力な反発力により高分子の臭気や刺激臭の分子の分子結合は切断され分子構造は崩壊しそれぞれの原子は終には炭素分子や水素分子や窒素分子及び酸素分子となり空気の構成分子となり空気中に戻る。【０１１６】  さて並列分流装置の全てのゼロ磁場による磁石列により構成された複数のトンネル内に並列に分流する臭気や刺激臭を含む空気の移動速度を全て等しくする事により全てのトンネル内の臭気や刺激臭を含む空気は全て等しい周期を伴ない原子が高エネルギー化された臭気や刺激臭を含む空気となる。【０１１７】  そのため全てのゼロ磁場による磁石列により壁面が構成されたトンネルにより活性化された臭気や刺激臭を含む空気が集合し全体として一種類の周期を有する臭気や刺激臭を含む空気となる事により臭気や刺激臭の分子を含む空気は最も強く活性化され高エネルギー化される。【０１１８】  本発明により空気や臭気及び刺激臭の原子がゼロ磁場により高エネルギー化する事は．あらゆる他の分子構造を有する気体についても可能であり．それぞれ従来では有り得ない現象を引き起こし有益な効果を得る可能性がある。【０１１９】  本発明によるゼロ磁場により活性化され高エネルギー化された空気の強力な浸透作用や清澄作用により脱臭後においては従来の空気では．その粘性のため内部に入り込むめない微細な小孔や空隙に浸透し脱臭及び殺菌を行なうと共に空気中に浮遊するあらゆる微細な微小粒子を地表に沈下させ空気を清澄にする事が出来る。【０１２０】  本発明による脱臭装置によればゼロ磁場により活性化され高エネルギー化された空気の分子の活性力は５０〜７０時間継続し有効に作用する。【０１２１】  アンモニア臭や腐敗臭及びカビ臭などの脱臭と共に腐敗臭やカビ臭を発生させる腐敗菌やカビ及び藻類など殺菌し根底からの脱臭を行なう。【０１２２】  建材などから発生し空気中に混在するシックハウスの原因となるホルムアルデヒドやトルエン及びシンナー等の有機溶剤やクレゾールなどの消毒剤や流化水素や亜硫酸ガスなどの有毒ガスを分解し除去すると共に強い刺激臭も脱臭する。【０１２３】  本発明によるゼロ磁場により原子が高エネルギー化した空気中の酸素分子により選択的な脱臭及び殺菌が行なわれ事は特に本発明による特徴的な脱臭効果である。【０１２４】  すなわち腐敗菌やレジオネラ菌及び緑濃菌などの嫌気性のバクテリヤは殺菌されるが酵母などの好気性のバクテリヤは逆に生育が助長される。【０１２５】  線香やタバコの臭いを脱臭すると共に煙微粒子を除去する。
特に喫煙中のタバコの煙に含まれるニコチンやタールの分子が分解し大幅に減少する事によりタバコの味が変化する程である。【０１２６】  本発明によるゼロ磁場による高エネルギー化による空気中の微小な浮遊粒子が沈下したり浮遊粒子が凝集し沈下する事による清澄作用により煙や線香の浮遊粒子は地上に落下する。【０１２７】人や動植物の細胞の生育機能を高めると共に食品の鮮度を維持する強い効果は特に本発明による脱臭効果においては特徴的なものである。【０１２８】  本発明によるゼロ磁場により高エネルギー化された空気によれば魚や肉や果物や野菜類．特に．にんにくやらっきょうやにら類や納豆や漬物類や酒類やコーヒーや緑茶や紅茶類．更に天然木材やシリコンなどの臭いは脱臭される事はなく却って強められる。【０１２９】  以上の選択的な脱臭効果が発生するのは細胞の生育機能が高められるのみならず天然素材からなる物質本来の分子の分子結合力が強く本発明のゼロ磁場による原子の高エネルギー化により天然素材の分子では分子結合が強く切断されず分解する事がないためと考えられる。【０１３０】  従って天然素材等から二次的に合成されり発生した物質やバクテリヤなどの分子結合力は弱く本発明のゼロ磁場による原子の高エネルギー化により分子結合が切断され分解するためと考えられる。【０１３１】  本発明による脱臭装置によれば周辺の空気の温度が変化した様に感ずる。
これは従来の空気では．その粘性のため侵入出来ない人の皮膚表面上の細かい皺や毛穴に本発明によるゼロ磁場により活性化され高エネルギー化された空気の粘性の低下により発生する強い浸透作用により皮膚表面上の細かい皺や毛穴内部にも浸透するため空気と接する皮膚の表面積が大幅に増大し空気との熱交換により多くの体温が奪われるため周囲温度が変化した様に感ずるものと考えられる。【０１３２】  従って夏及び冬では室内の温度が大幅に低下及び上昇した様に感じるため冷房及び暖房温度をそれぞれ２〜３℃上昇及び低下させる事により年間を通じ大きな燃料費や電力を節約すると共にＣＯ２も削減する事が出来る効果は特に特徴的である。
【発明を実施するための最良の形態】
【０１３３】  本発明による磁気による臭気又は刺激臭の脱臭方法について説明する。【０１３４】  以下．本発明の実施形態を図１〜図５について具体的に説明する。【０１３５】  ［図１］は本発明による脱臭装置における複数のゼロ磁場より構成される磁石列の斜視図である。【０１３６】  ［図１］の磁石列においては寸法形状及び磁力が等しい永久磁石により構成され且つ相隣る永久磁石の極性が逆となる様に一列状に並べて構成されたものであり特にネオジ磁石１及びネオジ磁石２を使用したものである。【０１３７】  また［図１］の磁石列においては異極同士の接触面からなるゼロ磁場３を順次．一列状に並べ構成したものである。【０１３８】  ［図２］は非磁性体よりなるアルミの角パイプ４内に［図１］におけるゼロ磁揚による磁石列２個を対向させる様に設置し磁石列により壁面を構成したトンネル５であり内部を臭気や刺激臭を含む空気を移動させる様にしたトンネル５の断面図である。【０１３９】  トンネル５を構成する磁石列による合成磁界中に空気や臭気及び刺激臭の分子が各ゼロ磁場３上を通過する毎に切断する無限大に近い変化率により極限の高いレベルの磁気による超誘導現象が発生し空気や臭気及び刺激臭の原子には極限の高いレベルの磁気による電子エネルギーが誘導される。【０１４０】  従って臭気や刺激臭を含む空気の流速とゼロ磁場３同士の間隔との相互寸法関係により定まる一定の周期を有する強力な磁気による運動エネルギーが空気や臭気及び刺激臭の分子に発生する。【０１４１】  この強力な磁気による運動エネルギーにより臭気や刺激臭を含む空気の粘性や表面張力は大幅に低下しサラサラになる等．従来では考えられない程の温度上昇によらない大きな特性変化が発生する。【０１４２】  ［図３］は並列分流装置である。
臭気や刺激臭を含む空気の量が非常に大きい場合には図３の様に図２の複数個のトンネル５を並列に設置し臭気や刺激臭を含む空気を並列に分流し流速を低下させる事によりゼロ磁場３により活性化され臭気や刺激臭を含む空気の高エネルギー化が可能となる。【０１４３】  そのため並列分流装置により全てのトンネル５内を移動する臭気や刺激臭を含む空気を等しい速度で並列に分流し流速を低下させる。【０１４４】  この並列分流装置のトンネル５は１対の磁石列２個を対向させる様に設置しゼロ磁場による磁石列により壁面を構成したトンネル５内に臭気や刺激臭を含む空気を移動させる事により活性化され原子が高エネルギー化された臭気や刺激臭を含む空気とする事が出来る。【０１４５】  ６は非磁性体よりなる分配器のブロックであり並列に設置固定された２本のトンネル５にそれぞれ分流され流速は低下する。【０１４６】  分配器のブロック６に並列に接続されるトンネル５の数は通常は偶数本とし入口側竹の子ニップル８に対象に２等分し．それぞれ並列に接続する。【０１４７】  ７は集合器であり．それぞれのトンネル５と並列に接続されており．それぞれのトンネル５内を移動し高エネルギー化された臭気や刺激臭を含む空気を集合器７内に集め出口側竹の子ニップル９から外気中に放出する。【０１４８】  ８は入口側竹の子ニップルであり分配器６に取り付けられ臭気や刺激臭を含む空気の取り入れ口である。【０１４９】  ９は出口側竹の子ニップルであり集合器７内に集められ高エネルギー化された臭気や刺激臭を含む空気を外気中に放出する放出口である。【０１５０】  あらかじめトンネル５の内壁を構成するゼロ磁場による磁石列によって．それぞれ各トンネル５に分流された空気や臭気及び刺激臭の各原子が高エネルギー化される事によって各分子には非常に強力な磁気による運動エネルギーが付与される。【０１５１】  そのためゼロ磁場３による磁気による超誘導現象により原子が高エネルギー化された空気や臭気及び刺激臭の分子には強力な磁気による運動エネルギーが発生し温度上昇によらない粘性の低いサラサラな状態となり強力浸透作用と空気の清澄作用が発生する。【０１５２】  さて本発明において永久磁石を使用したゼロ磁場３では永久磁石の主磁束面からの距離の２乗に反比例して合成磁力は減衰する。【０１５３】  そのためゼロ磁場３上の合成磁界が空気や臭気及び刺激臭の原子の高エネルギー化に有効に作用し得る範囲は永久磁石の主磁束面からの距離で１４ミリ程度が限界でありトンネル５の断面で特に１対のゼロ磁場による磁石列で構成される壁面間の寸法距離は１４ミリ程度以下に限定される。【０１５４】  このゼロ磁場３により臭気や刺激臭を含む空気の分子に発生した強力な磁気による運動エネルギーの周期が臭気や刺激臭を含む空気．特有の分子運動による周期とが．それぞれ合致した場合には運動エネルギーの授受に関する共振現象により極限に近い強力な磁気による運動エネルギーを有する臭気や刺激臭を含む空気となる。【０１５５】  ［図４］は本発明の一実施例による脱臭装置のうち特に活性化ユニットの正面図である。【０１５６】  １０はファンでありＢ方向から臭気や刺激臭を含む空気を吸い込み空気溜まり１５に吹き込むための��のである。【０１５７】  １１は非磁性体からなるステーありファン１０と非磁性体からなるブラケット１２の間に空気溜まり１５を構成するためのものであり同時にファン１０をブラケット１２に固定するためのものである。【０１５８】  １２は非磁性体からなるブラケットであり本発明による活性化ユニットのカバーである。【０１５９】  １５は空気溜まりでありファン１０により押し出された臭気や刺激臭を含む空気の排出側面とブラケット１２との間に設けられた空間である。【０１６０】  ［図５］は本発明の一実施例による脱臭装置のうち特に［図４］の活性化ユニットの正面図におけるＡ−Ａ断面視図である。【０１６１】  １０ａはファンであり．特に軸心のボス部分である。【０１６２】  １０ｂはファンであり．特に羽根のインペラー部分である。（図は省略）【０１６３】  １３はサイドカバー（１）であり空気溜まり１５の臭気や刺激臭を含む空気を外部Ｄ方向に漏らさない様にするための非磁性体よりなる遮蔽板であり特にトンネル５を通過し活性化された臭気や刺激臭を含む空気の吐出口は遮蔽しない構造となっている。【０１６４】  １４はサイドカバー（２）であり空気溜まり１５の臭気や刺激臭を含む空気を外部Ｄ方向と反対の方向に漏らさない様にするための非磁性体よりなる遮蔽板であり特にトンネル５に流入する臭気や刺激臭を含む空気も外部に漏らさない様に遮蔽する構造となっている。【０１６５】  以上より［図４］においてＢ方向からファンによって吸引された臭気や刺激臭を含む空気は反対側へ動圧となり排出されブラケット１２の内面に衝突し静圧となり空気溜まり１５に滞留し静圧により更に［図５］におけるＣ方向に常に一定の速度で移動する事によって臭気や刺激臭を含む空気はトンネル５内で一定の周期を伴ない高エネルギー化されトンネル５の吐出口よりＤ方向の外気中へ排出される。
【産業上の利用可能性】
【０１６６】  本発明による磁気による臭気及び脱臭方法は原子の高エネルギー化により臭気や刺激臭の分子の分子結合を破壊し分解する方法であり他の分子構造を有する気体についても同様に高エネルギー化により分子結合を破壊する事は可能であり今後の利用範囲は更に大きく広がるものと期待される。【０１６７】  空気中に浮遊する腐敗菌やレジオネラ菌や緑濃菌等の嫌気性バクテリヤを強力に殺菌する機能により同様に空気中に浮遊し空気感染するウドン粉病等の植物に発生する菌のみならずウイルスについても細胞を構成する原子を高エネルギー化により細胞を形成する分子の分子結合を破壊することにより死滅させる利用方法が拡大するものと期待される。【０１６８】  更に本発明による磁気による臭気及び脱臭方法は好気性バクテリヤに対しては強力な生育機能を発揮するため各種の酵母菌による醗酵食品及び魚肉や果物や野菜などの食品の鮮度を保ち保存期間を延長し得る機能については今後の利用範囲は大きく拡大するものと期待される。【０１６９】  またホルマリンやトルエンやシンナー等の建材による有毒ガスやクレゾール等の消毒薬や亜硫酸ガスや硫化水素等の有毒ガス更にはフロンなどの分解が困難な化学物質を分解する可能性があり化学薬品の分解機能の利用についても今後さらに大きく拡大するものと期待される。
【図面の簡単な説明】
【０１７０】
【図１】は本発明による磁気による臭気又は刺激臭の脱臭方法において使用されるゼロ磁場３より構成される磁石列の斜視図である。
【図２】は［図１］における１対の磁石列により構成されるトンネル５の断面模式図である。
【図３】は活性化処理量が大きい臭気や刺激臭を含む空気の場合に使用される並列分流装置の断面模式図である。
【図４】は本発明の一実施例による脱臭装置のうち特に活性化ユニットの正面図である。
【図５】は［図４］の本発明の一実施例による脱臭装置のうち特に活性化ユニットの正面図におけるＡ−Ａ断面視図である。
【符号の説明】
【０１７１】１    ：Ｎ極の永久磁石
２    ：Ｓ極の永久磁石
３    ：ゼロ磁場
４    ：アルミの角パイプ
５    ：トンネル
６    ：分配器のブロック
７    ：集合器のブロック
８    ：入口側竹の子ニップル
９    ：出口側竹の子ニップル
１０  ：ファン
１０ａ：ファンの軸部分
１０ｂ：ファンの羽根部分
１１  ：ステー
１２  ：ブラケット
１３  ：サイドカバー（１）
１４  ：サイドカバー（２）
１５  ：空気溜まり
【図１】
2011036607.tif 000003
【図２】
2011036607.tif 000004
【図３】
2011036607.tif 000005
【図４】
2011036607.tif 000006
【図５】
2011036607.tif 000007